(57)【要約】【課題】一つの排水ポンプで複数の水使用場所の排水を行うことができる建物用排水システムを提供すること。【解決手段】この建物用排水システムは、防水パン１７に取り付けたミニチュア桝１９を所定値より大きく下方に向けて延設し、ミニチュア桝１９の下部に防水パン１７以外の他の水使用場所からの排水パイプ２７，３０を接続している。更に、ミニチュア桝１９の下部に排水室１９ｄへの逆流を防止させる逆止弁３２を介して排水ポンプ３３の流入口３４ａを接続し、排水ポンプ３３に流入口３４ａより上方に位置且つ下水に連通する排水口３４ｂを設けている。しかも、ミニチュア桝１９内への排水の供給を検出して検出信号を出力する圧力センサ３８を設け、検出信号を受けて排水ポンプ３３を作動させる制御回路３９を設けている。【選択図】  図２
2005113584.tif 000002
【特許請求の範囲】
【請求項１】
建物の下床上に床板支部材を介して上床板を支持させることにより、前記下床と前記上
床板との間に配管スペースを設け、前記上床板に防水パン用の開口を形成し、前記開口を
防水パンで閉成すると共に、前記防水パンに前記配管スペース内に突出且つ下水に連通す
る中空排水部を設け、前記防水パン上に配設した水使用製品からの排水口を前記中空排水
部の排水室に接続した建物用排水システムにおいて、
前記中空排水部を所定値より大きく下方に向けて延設し、前記中空排水部の下部に前記
防水パン以外の他の水使用場所からの排水パイプを接続し、前記中空排水部の下部に前記
排水室への逆流を防止させる逆止弁を介して排水ポンプの流入口を接続し、前記排水ポン
プに前記流入口より上方に位置且つ前記下水に連通する排水口を設けると共に、前記中空
排水部内への排水の供給を検出して検出信号を出力する排水検出手段を設け、前記検出信
号を受けて前記排水ポンプを作動させる制御回路を設けたことを特徴とする建物用排水シ
ステム。
【請求項２】
前記排水ポンプ及び逆止弁が前記中空排水部に一体に設けられて前記排水パンとユニッ
ト化されていることを特徴とする請求項１に記載の建物用排水システム。
【発明の詳細な説明】
【技術分野】
【０００１】
この発明は、防水パンの下面に突出させた中空排水部を利用して、防水パン上の水使用
製品及び他の水使用場所からの排水を下水に排水するようにした建物用排水システムに関
するものである。
【背景技術】
【０００２】
従来の建物には、浴室排水，台所排水，洗面所排水等の排水管を配管施工する際、簡単
に配管施工が出来ると共に配管経路等の変更を容易にするため、図３に示したように洗面
室１内の下床２上に間隔をおいて上床板３を設けた二重床構造とすることにより、この下
床２と上床板３との間に排水パイプ用の配管スペース４を設けたものがある（例えば、特
許文献１参照）。
【０００３】
このような建物において、上床板３上に防水パン５を設置して、この防水パン５の排水
トラップ６に配管スペース４内に配設した排水パイプ７を接続すると共に、防水パン５上
に洗濯機８を水使用製品として載置し、この洗濯機８の排水口を排水トラップ６に接続す
ることも考えられる（例えば、特許文献２参照）。
【０００４】
しかし、従来は、排水パイプ７を傾斜させることにより、排水トラップ６からの生活排
水を自重により下水道に導いていた。このため、下床２と上床板３との間隔を大きくとる
必要があった。
【０００５】
また、従来の建物には、流し台のような水使用場所から生ずる生活排水を排水ポンプで
強制的に排水するようにした強制排水システムを設けたものもある（例えば、特許文献３
参照）。
【０００６】
この排水ポンプを図３の排水パイプ７の途中に介装して、洗濯機８からの排水を排水ポ
ンプにより強制的に下水に排水するようにすることもできる。
【特許文献１】特開平８−１２０７２２号公報
【特許文献２】特開２００２−１８８１９５号公報
【特許文献３】特開平２−３０４１２８号公報
【発明の開示】
【発明が解決しようとする課題】
【０００７】
ところで、一般に居住用の建物では、水使用場所が複数箇所あるのが普通である。この
ような建物において、上述したような生活排水の排水ポンプを設ける場合、排水効率等を
考慮すると各水使用場所毎に排水ポンプを設ける必要がある。
【０００８】
しかしながら、各水使用場所毎に高価な排水ポンプを設けずに、一つの排水ポンプで複
数の水使用場所の排水を行うことができるのが望ましい。
【０００９】
そこで、この発明は、一つの排水ポンプで複数の水使用場所の排水を行うことができる
建物用排水システムを提供することを目的とするものである。
【課題を解決するための手段】
【００１０】
この目的を達成するため、この発明は、建物の下床上に床板支部材を介して上床板を支
持させることにより、前記下床と前記上床板との間に配管スペースを設け、前記上床板に
防水パン用の開口を形成し、前記開口を防水パンで閉成すると共に、前記防水パンに前記
配管スペース内に突出且つ下水に連通する中空排水部を設け、前記防水パン上に配設した
水使用製品からの排水口を前記中空排水部の排水室に接続した建物用排水システムにおい
て、前記中空排水部を所定値より大きく下方に向けて延設し、前記中空排水部の下部に前
記防水パン以外の他の水使用場所からの排水パイプを接続し、前記中空排水部の下部に前
記排水室への逆流を防止させる逆止弁を介して排水ポンプの流入口を接続し、前記排水ポ
ンプに前記流入口より上方に位置且つ前記下水に連通する排水口を設けると共に、前記中
空排水部内への排水の供給を検出して検出信号を出力する排水検出手段を設け、前記検出
信号を受けて前記排水ポンプを作動させる制御回路を設けた建物用排水システムとしたこ
とを特徴とする。
【発明の効果】
【００１１】
この構成によれば、防水パン上の水使用製品からの排水が中空排水部に流入した場合、
或いは前記防水パン以外の他の水使用場所からの排水が中空排水部内に流入した場合、こ
の排水の流入が排水検出手段により検出されて、排水検出手段が排水検出信号を出力する
。そして、制御回路は、検出信号を受けて前記排水ポンプを作動させ、この排水ポンプに
より中空排水部に流入する排水を下水に強制排水することになる。
【００１２】
ここで、中空排水部は所定値より大きく下方に向けて延設されているので、中空排水部
内の容量は大きくなっている。このため、防水パン以外の他の水使用場所からの排水が中
空排水部内に流入して、この排水が中空排水部内を上昇しても防水パン側に大きく上昇す
る前に、排水ポンプが作動するので、排水が防水パン上に逆流することはない。
【００１３】
しかも、排水ポンプ内の排水口は流入口より上方に配置されていると共に、排水ポンプ
の流入口と中空排水部との間に排水が中空排水部側に逆流するのを防止する逆止弁が介装
されているので、排水ポンプ停止時には排水ポンプ内の流入口と排水口との間に常に排水
が貯留されて封水されている。このため、防水パンに設けた中空排水部を排水トラップ構
造にする必要がない。
【００１４】
これらの結果、防水パン以外の他の水使用場所からの排水を中空排水部に容易に合流さ
せることができる。
【発明を実施するための最良の形態】
【００１５】
以下、この発明の実施の形態を図面に基づいて説明する。
【００１６】
図１において、１０は例えばマンション又はオフィスビル等の建物（集合住宅）の洗面
室、１１は洗面室１０の下床、１２は下床１１上に所定間隔をおいて配設された上床板、
１３は上床板１２を下床１１上に支持している床板支持部材である。
【００１７】
この上床板１２は、マンション又はオフィスビル等の建物（集合住宅）をリフォームす
る際に増設され、或いは新築する際に設けられたものである。そして、この下床１１と上
床板１２との間には配管スペース１４が設けられている。
【００１８】
また、この上床板１２には防水パン用の方形の開口１５が形成され、この上床板１２の
開口１５に沿う部分には方形の枠体１６が取り付けられている。そして、開口１５を覆う
防水パン１７の周縁部が枠体１６上に固定されている。
【００１９】
この防水パン１７には図２に示したように小径の取付開口１８が形成され、この防水パ
ン１７には取付開口１８に沿う円形の段差部１７ａが形成されている。この取付開口１８
には、有底筒状で上方に開口する有底筒状のミニチュア桝（中空排水部）１９が下方に向
けて挿通されている。
【００２０】
このミニチュア桝（中空排水部）１９の上端部には外方に向かうフランジ１９ａが形成
されている。このフランジ１９ａは段差部１７ａ上に載置されている。尚、このフランジ
１９ａは段差部１７ａに図示しないビス等で着脱可能に固定されている。
【００２１】
また、このフランジ１９ａの内周側には円形の段差１９ｂが形成され、この段差１９ｂ
には通気性のある蓋体２０が支持されている。この蓋体２０によりミニチュア桝１９の上
部開口１９ｃが閉成されている。尚、２０ａは蓋体２０の中央に設けた挿通孔である。
【００２２】
この挿通孔２０ａには、図２（ｂ）に示したように防水パン１７上に載置した洗濯機（
水使用製品）２１の排水管又は排水ホース等の排水パイプ２２が挿通されている。これに
より、排水パイプ２２内の排水口２２ａがミニチュア桝（中空排水部）１９の排水室１９
ｄに接続されている。
【００２３】
また、ミニチュア桝１９は所定値より大きく下方に向けて延設されている。図１，図２
（ａ）では、ミニチュア桝１９は略下床１１に近接する位置まで深く延設されている。こ
のミニチュア桝１９の下方への突出量は、図１，図２（ａ）では、通常の排水トラップの
略倍以上に設定されている。このミニチュア桝１９のヵ端部には、互いに反対側に位置す
る接続口（排水流入口）１９ｅと接続口（排水排出口）１９ｆが設けられている。
【００２４】
更に、図１に示したように上床板１２上には、防水パン１７に隣接して洗面室１０内に
配設した洗面台（水主用製品）２３が設置されている。この水使用場所となる洗面台２３
の上下方向中間部には洗面器２４が取り付けられ、この洗面器２４には蛇口２５が取り付
けられている。この洗面器２４の水を受ける凹部２６の下端部には下方に向けて延びる排
水パイプ２７が接続されている。２８は洗面台２２の下端部のベース板である。
【００２５】
そして、排水パイプ２７は、ベース板２８及び上床板１２を貫通して配管スペース１４
の上部内に配設されている。また、この排水パイプ２７の下端にはエルボ２９を介して排
水パイプ３０の一端部が接続されている。
【００２６】
この排水パイプ３０は、図２に示したようにミニチュア桝１９の下端部の接続口１９ｅ
に向けて傾斜させられていると共に、複数の管固定サドル３１により下床１１上に固定さ
れている。そして、この排水パイプ３０の下端部はミニチュア桝１９の下端部の接続口１
９ｅに接続されている。
【００２７】
また、ミニチュア桝１９の下端部の接続口１９ｆ側には、図１，図２（ａ）に示したよ
うに逆止弁３２及び排水ポンプ３３が配設されている。この排水ポンプ３３は、図２（ａ
）に示したようにポンプケーシング３４と、ポンプケーシング３４内に配設された羽根車
３５と、羽根車３５を回転駆動する電動モータ（駆動モータ）３６を有する。この羽根車
３５には、遠心式又は渦流式等のものを用いることができる。尚、この排水ポンプ３３と
しては、これら以外の他の形式のものを用いることもできる。
【００２８】
そして、ポンプケーシング３４には、羽根車３５の中央に臨ませて流入口３４ａが形成
されていると共に、流入口３４ａより上方に位置させて排水口３４ｂが形成されている。
図２（ａ）では排水口３４ｂはポンプケーシング３４の上端部に設けられている。この流
入口３４ａには逆止弁３２を介してミニチュア桝１９の下端部の接続口１９ｆが接続され
ている。
【００２９】
この逆止弁３２は、接続口１９ｆから排水ポンプ３３の流入口３４ａ側には排水を流す
ことを許容し、排水ポンプ３３の流入口３４ａから排水室１９ｄ側に排水が逆流するのを
防止するようになっている。この逆止弁３２には周知の構造のものが採用できるので、そ
の詳細な説明は省略する。
【００３０】
この排水ポンプ３３の排水口３４ｂには、下水に連通する排水パイプ３７が接続されて
いる。この排水口３４ｂ及び排水パイプ３７は、ポンプケーシング３４側端から所定長さ
Ｌ以上水平に配設されている。これにより、ポンプケーシング３４からのエア抜きが促進
されることになる。
【００３１】
また、ミニチュア桝１９の下端部の接続口１９ｆには圧力センサ３８が排水検出手段と
して取り付けられている。図２（ａ）では圧力センサ３８が接続口１９ｆの下端部に取り
付けられているが、必ずしもこれに限定されるものではない。例えば、圧力センサ３８は
、接続口１９ｆの上端部又はミニチュア桝１９の排水室１９ｄの底壁１９ｇの上部等に取
り付けても良い。
【００３２】
この圧力センサ３８は、ミニチュア桝１９の排水室１９ｄ内への排水の供給量が所定量
以上になったときの所定圧力を検出して検出信号を出力する。この検出信号は図２（ａ）
に示したように制御回路３９に入力されるようになっている。そして、制御回路３９は、
圧力センサ３８からの検出信号を受けると、排水ポンプ３３の電動モータ３６を作動させ
て、羽根車３５を回転させ、流入口３４ａから吸い込んだ生活排水を排水口３４ｂから吐
出するようになっている。
【００３３】
次に、このような構成の建物用排水システムの作用を説明する。
【００３４】
上述したミニチュア桝１９の排水室１９ｄ内の底部には、液面４０ａが接続口１９ｆよ
り上方に位置する排水液４０が貯留されている。また、排水ポンプ３３のポンプケーシン
グ３４内にも、逆止弁３２の作用により、液面４１ａが排水口３４ｂ付近まで達する排水
液４１が貯留されている。これによりポンプケーシング３４内が封水構造となっている。
【００３５】
この状態で、防水パン１７上の洗濯機２１からの生活排水がミニチュア桝１９の排水室
１９ｄ内に自重で流入し、或いは洗面台２３の洗面器２４からの生活排水が排水管２７，
エルボ２９及び傾斜する排水管３０を介して排水室１９ｄ内に自重で流入する。
【００３６】
この流入により、排水室１９ｄ内の排水液４０の量がある程度の量になると、例えば排
水室１９ｄ内の排水液４０液面４０ａが上下方向の略半分になると、圧力センサ３８が排
水室１９ｄ内への生活排水の流入を検出して検出信号を出力する。この検出信号は制御回
路３９に入力される。
【００３７】
そして、制御回路は３９は、圧力センサ３８からの検出信号を受けると、排水ポンプ３
３の電動モータ３６を作動させて、羽根車３５を回転させる。これにより、排水ポンプ３
３は、逆止弁３２を開かせて排水室１９ｄ内の生活排水を逆止弁３２及び流入口３４ａを
介してポンプケーシング３４内に吸い込み、吸い込んだ生活排水を排水口３４ｂから吐出
する。この排水口３４ｂから吐出された生活排水は、排水パイプ３７を介して下水に強制
排水される。
【００３８】
尚、排水口３４ｂ及び排水パイプ３７を図１に示したように所定長さＬだけ水平に構成
して、ポンプケーシング３４からのエア抜きを促進させる構成としたが、必ずしもこれに
限定されるものではない。
【００３９】
例えば、図１に破線で示したように排水口３４ｂ及び排水パイプ３７をポンプケーシン
グ３４側端から所定長さＬ以上上方に傾斜させて、或いは排水パイプ３７を所定長さＬ以
上上方に傾斜させて、ポンプケーシング３４からのエア抜きをより促進させるようにして
も良い。
【００４０】
また、上述した実施例では接続口１９ｆの圧力を圧力センサ３８で検出するようにした
が、必ずしもこれに限定されるものではない。例えば、図２に二点鎖線で示したようにポ
ンプケーシング３４内の底部に圧力を圧力センサ３８を配設しても良い。尚、圧力センサ
３８の配設位置は、ポンプケーシング３４の上下方向の略中心より下方であれば、ポンプ
ケーシング３４内のいずれの場所でも良い。このような構成によれば、羽根車３５の回転
により吸い込まれる排水の流れにより、圧力センサ３８の圧力検出部の表面が常に清浄さ
れるので、圧力センサ３８の検出感度が低下するのを防止できる。
【００４１】
以上説明したように、この発明の実施の形態の建物用排水システムは、建物の下床１１
上に床板支部材１３を介して上床板１２を支持させることにより、前記下床１１と前記上
床板１２との間に配管スペース１４を設け、前記上床板１２に防水パン用の開口１５を形
成し、前記開口１５を防水パン１７で閉成すると共に、前記防水パン１７に前記配管スペ
ース１４内に突出且つ下水に連通する中空排水部（ミニチュア桝１９）を設け、前記防水
パン１７上に配設した水使用製品（洗濯機２１）からの排水口２２ａを前記中空排水部（
ミニチュア桝１９）の排水室１９ｄに接続している。
【００４２】
また、この建物用排水システムでは、前記中空排水部（ミニチュア桝１９）を所定値よ
り大きく下方に向けて延設し、前記中空排水部（ミニチュア桝１９）の下部に前記防水パ
ン１７以外の他の水使用場所（洗面台２３）からの排水パイプ２７，３０を接続している
。上述した実施例では、防水パン１７以外の他の水使用場所として洗面台２３の例を示し
たが、必ずしもこれに限定されるものではない。例えば、リフォーム時にシンクを新たに
増設したり、或いは簡易のシャワー室を増設したりした場合も、このシンクやシャワー室
を防水パン１７以外の他の水使用場所とすることもできる。要は、水を使用する場所から
生活排水が排水される場所であれば、防水パン１７以外の他の水使用場所とすることがで
きる。
【００４３】
更に、この建物用排水システムでは、前記中空排水部（ミニチュア桝１９）の下部に前
記排水室１９ｄへの逆流を防止させる逆止弁３２を介して排水ポンプ３３の流入口３４ａ
を接続し、前記排水ポンプ３３に前記流入口３４ａより上方に位置且つ前記下水に連通す
る排水口３４ｂを設けている。しかも、前記中空排水部（ミニチュア桝１９）内への排水
の供給を検出して検出信号を出力する排水検出手段（圧力センサ３８）を設け、前記検出
信号を受けて前記排水ポンプ３３を作動させる制御回路３９を設けている。
【００４４】
この構成によれば、防水パン１７上の水使用製品（洗濯機２１）からの排水が中空排水
部（ミニチュア桝１９）に流入した場合、或いは前記防水パン１７以外の他の水使用場所
（洗面台２３）からの排水が中空排水部（ミニチュア桝１９）内に流入した場合、この排
水の流入が排水検出手段（圧力センサ３８）により検出されて、排水検出手段（圧力セン
サ３８）が排水検出信号を出力する。そして、制御回路３９は、検出信号を受けて前記排
水ポンプ３３を作動させ、この排水ポンプ３３により中空排水部（ミニチュア桝１９）に
流入する排水を下水に強制排水することになる。
【００４５】
ここで、中空排水部（ミニチュア桝１９）は所定値より大きく下方に向けて延設されて
いるので、中空排水部（ミニチュア桝１９）内の容量は大きくなっている。このため、防
水パン１７以外の他の水使用場所（洗面台２３）からの排水が中空排水部（ミニチュア桝
１９）内に流入して、この排水が中空排水部（ミニチュア桝１９）内を上昇しても防水パ
ン１７側に大きく上昇する前に、排水ポンプ３３が作動するので、排水が防水パン１７上
に逆流することはない。
【００４６】
しかも、排水ポンプ３３内の排水口３４ｂは流入口３４ａより上方に配置されていると
共に、排水ポンプ３３の流入口３４ａと中空排水部（ミニチュア桝１９）との間に排水が
中空排水部（ミニチュア桝１９）側に逆流するのを防止する逆止弁３２が介装されている
ので、排水ポンプ３３の停止時には排水ポンプ３３内の流入口３４ａと排水口３４ｂとの
間に常に排水（排水液４１）が貯留されて封水されている。このため、防水パン１７に設
けた中空排水部（ミニチュア桝１９）を排水トラップ構造にする必要がない。
【００４７】
これらの結果、防水パン１７以外の他の水使用場所（洗面台２３）からの排水を中空排
水部（ミニチュア桝１９）に容易に合流させることができる。
【００４８】
また、この発明の実施の形態の建物用排水システムは、前記排水ポンプ３３及び逆止弁
３２が前記中空排水部（ミニチュア桝１９）に一体に設けられて前記防水パン１７とユニ
ット化されている。
【００４９】
このように防水パン１７の中空排水部（ミニチュア桝１９）に逆止弁３２及び排水ポン
プ３３を組み付けてユニット化しておくことで、建物の居室内をリフォームするときに、
床上に防水パン１７を設置することにより、強制排水システムを容易に提供できる。
【図面の簡単な説明】
【００５０】
【図１】この発明に係る建物用排水システムの配管図である。
【図２】（ａ）は図１の一部を断面して拡大した要部拡大断面図、（ｂ）は（ａ）のミニチュア桝の防水パンへの取付部の拡大断面図である。
【図３】建物用排水システムの一例を示す配管図である。
【符号の説明】
【００５１】
１１…下床
１２…上床板
１３…床板支部材
１４…配管スペース
１５…開口
１７…防水パン
１９…ミニチュア桝（中空排水部）
１９ｄ…排水室
２７，３０…排水パイプ
２１…洗濯機（水使用製品）
２２ａ…排水口
２３…洗面台（水使用場所）
３２…逆止弁
３３…排水ポンプ
３４ａ…流入口
３４ｂ…排水口
３８…圧力センサ（排水検出手段）
３９…制御回路
【図１】
2005113584.tif 000003
【図２】
2005113584.tif 000004
【図３】
2005113584.tif 000005